(57)【要約】【課題】  入力ペンの紛失防止を図りつつ、入力操作の改善を図った紐付入力ペン及び携帯電子機器を提供する。【解決手段】  携帯電子機器用の入力ペン１１と紐構成体１２とを備えた紐付入力ペン１０であって、前記紐構成体１２は第一の紐部１６と第二の紐部１７とからなり、前記第一の紐部１６は紐状部材１８とその紐状部材１８の一端が取り付けられたリング部材１９とを有し、前記第二の紐部１７は環状のベルト２０を含み、該ベルト２０の一端が前記携帯電子機器に取り付けられた状態で、該ベルト２０を前記リング部材１９の輪の中に遊挿状態で通されていることを特徴とする。【選択図】  図１
2016057725.tif 000002
【特許請求の範囲】
【請求項１】
携帯電子機器用の入力ペンと紐構成体とを備え、
前記紐構成体は第一の紐部と第二の紐部を有し、
前記第一の紐部は一端が前記入力ペンと連結された紐状部材とその紐状部材の他の一端に取り付けられたリング部材とを有し、
前記第二の紐部は環状のベルトを含み、当該環状のベルトに前記リング部材が遊挿されている、
ことを特徴とする紐付入力ペン。
【請求項２】
前記環状のベルトは幅広で帯状の素材で作られていることを特徴とする請求項１に記載の紐付入力ペン。
【請求項３】
前記紐状部材は二重紐または二重以上の多重紐もしくは１本の紐であることを特徴とする請求項１に記載の紐付入力ペン。
【請求項４】
請求項１乃至３いずれかに記載の前記紐付入力ペンが取り付けられている携帯電子機器であって、前記環状のベルトに前記リング部材が遊挿された状態で、前記環状のベルトが当該携帯電子機器に設けられた取付部に取り付けられていることを特徴とする携帯電子機器。
【請求項５】
前記環状のベルトが前記携帯電子機器に取り付けられている状態で、前記環状のベルトの内側にユーザの手が挿入されて前記入力ペンがユーザの手で操作される際に、前記入力ペンと連結された紐状部材と当該紐状部材に取り付けられた前記リング部材とが前記入力ペンの操作を妨げない位置に移動可能となるように、前記環状のベルトに前記リング部材が遊挿されていることを特徴とする請求項４に記載の携帯電子機器。
【請求項６】
前記携帯電子機器は、前記紐付入力ペンを着脱自在に保持する保持手段を備えたことを特徴とする請求項４又は５に記載の携帯電子機器。
【請求項７】
前記保持手段が、前記入力ペンの一端と前記取付部との間に、前記入力ペンの他端及び前記紐状部材を連結する連結部が位置するように前記入力ペンを保持した状態と比べて前記紐状部材が撓まないように、前記保持手段が、前記連結部と、前記取付部との間に前記入力ペンの一端が位置する状態で前記入力ペンを保持できるように、前記リング部材が前記環状のベルトにおける前記取付部側に遊挿されることを特徴とする請求項６に記載の携帯電子機器。
【請求項８】
前記保持手段は磁石の磁力によって前記紐付入力ペンを保持することを特徴とする請求項５に記載の携帯電子機器。
【請求項９】
前記保持手段は少なくとも一対の対向爪の挟み力によって前記紐付入力ペンを保持することを特徴とする請求項６に記載の携帯電子機器。
【発明の詳細な説明】
【技術分野】
【０００１】
本発明は、紐付入力ペン及び携帯電子機器に関し、詳細には、タッチパネル等の入力操作に用いられる紐付入力ペン及び当該タッチパネル等を備えた携帯電子機器に関する。
【背景技術】
【０００２】
入力ペンとは、タッチパネル等を備えた携帯電子機器の入力手段であり、一般的に入力ペンは細長形状の本体部の先端に、ペン先部を形成して構成されている。ユーザは本体部を手持ちし、ペン先部を携帯電子機器の入力面（タッチパネル等）に当接させて所要の入力操作を行うが、携帯電子機器を持ち歩く際に、しばしば入力ペンを置き忘れるなどして紛失することがある。
【０００３】
紛失防止策の一つは、携帯電子機器のボディに入力ペンを収容することであるが、収容忘れを否めず、確実な策とはいえない。
【０００４】
他の対策は、携帯電子機器と入力ペンとを「紐」で結びつけておく方法、すなわち「紐付入力ペン」にする方法である。たとえば、下記の特許文献１には、入力ペンの後端部に所定の長さを有する紐の一端側を取り付けた例（以下、先行技術という）が示されている。この先行技術によれば、紐の他端側を携帯電子機器に取り付けることにより、常に入力ペンと携帯電子機器とをペアにして持ち運ぶようにし、入力ペンの紛失を確実に防止することができる。
【先行技術文献】
【特許文献】
【０００５】
【特許文献１】特開２０００−２０７１１５号公報
【発明の概要】
【発明が解決しようとする課題】
【０００６】
しかしながら、先行技術は、入力ペンの紛失防止の点では有効なものの、紐が邪魔になって入力ペンの操作がしにくくなることがある。
図５は、先行技術の不都合説明図である。この図において、入力ペン１は紐２で携帯電子機器３に結びつけられている。ユーザは、携帯電子機器３の入力面４を操作する場合、入力ペン１を手で握って所要の入力操作を行うことになるが、その際に、紐２が指先等に絡みついて邪魔になることがある。このようなとき、ユーザは、絡みつきをほどいた後に入力操作を行う必要があり、入力操作に支障を来す。
【０００７】
そこで、本発明は、入力ペンの紛失防止を図りつつ、入力操作の改善を図った紐付入力ペン及び携帯電子機器を提供することにある。
【課題を解決するための手段】
【０００８】
請求項１に記載の発明は、携帯電子機器用の入力ペンと紐構成体とを備え、前記紐構成体は第一の紐部と第二の紐部を有し、前記第一の紐部は一端が前記入力ペンと連結された紐状部材とその紐状部材の他の一端に取り付けられたリング部材とを有し、前記第二の紐部は環状のベルトを含み、当該環状のベルトに前記リング部材が遊挿されている、ことを特徴とする紐付入力ペンである。
請求項２に記載の発明は、前記環状のベルトは幅広で帯状の素材で作られていることを特徴とする請求項１に記載の紐付入力ペンである。
請求項３に記載の発明は、前記紐状部材は二重紐または二重以上の多重紐もしくは１本の紐であることを特徴とする請求項１に記載の紐付入力ペンである。
請求項４に記載の発明は、請求項１乃至３いずれかに記載の前記紐付入力ペンが取り付けられている携帯電子機器であって、前記環状のベルトに前記リング部材が遊挿された状態で、前記環状のベルトが当該携帯電子機器に設けられた取付部に取り付けられていることを特徴とする携帯電子機器である。
請求項５に記載の発明は、前記環状のベルトが前記携帯電子機器に取り付けられている状態で、前記環状のベルトの内側にユーザの手が挿入されて前記入力ペンがユーザの手で操作される際に、前記入力ペンと連結された紐状部材と当該紐状部材に取り付けられた前記リング部材とが前記入力ペンの操作を妨げない位置に移動可能となるように、前記環状のベルトに前記リング部材が遊挿されていることを特徴とする請求項４に記載の携帯電子機器である。
請求項６に記載の発明は、前記携帯電子機器は、前記紐付入力ペンを着脱自在に保持する保持手段を備えたことを特徴とする請求項４又は５に記載の携帯電子機器である。
請求項７に記載の発明は、前記保持手段が、前記入力ペンの一端と前記取付部との間に、前記入力ペンの他端及び前記紐状部材を連結する連結部が位置するように前記入力ペンを保持した状態と比べて前記紐状部材が撓まないように、前記保持手段が、前記連結部と、前記取付部との間に前記入力ペンの一端が位置する状態で前記入力ペンを保持できるように、前記リング部材が前記環状のベルトにおける前記取付部側に遊挿されることを特徴とする請求項６に記載の携帯電子機器である。
請求項８に記載の発明は、前記保持手段は磁石の磁力によって前記紐付入力ペンを保持することを特徴とする請求項５に記載の携帯電子機器である。
請求項９に記載の発明は、前記保持手段は少なくとも一対の対向爪の挟み力によって前記紐付入力ペンを保持することを特徴とする請求項６に記載の携帯電子機器である。
【発明の効果】
【０００９】
本発明によれば、入力ペンの紛失防止を図りつつ、入力操作の改善を図った紐付入力ペン及び携帯電子機器を提供することができる。
【図面の簡単な説明】
【００１０】
【図１】実施形態に係る紐付入力ペンの全体構成図である。
【図２】紐付入力ペン１０の使用状態図である。
【図３】携帯電子機器２２の背面図である。
【図４】紐状部材１８の弛みを示す図である。
【図５】先行技術の不都合説明図である。
【発明を実施するための形態】
【００１１】
以下、本発明の実施形態を、図面を参照しながら説明する。
図１は、実施形態に係る紐付入力ペンの全体構成図である。図１（ａ）において、紐付入力ペン１０は、入力ペン１１と紐構成体１２とによって構成されている。入力ペン１１は、鉛筆等の筆記具を模した短軸円筒形状の入力ペンの本体部１３の先端にペン先部１４が形成され、入力ペンの本体部１３の後端に小穴（紐状部材連結部１５）が形成されている。
【００１２】
紐構成体１２は、第一の紐部１６と第二の紐部１７とからなり、第一の紐部１６は紐状部材１８（二重紐）と、その紐状部材１８の一端に取り付けられたリング部材１９とを有している。前記入力ペンの本体部１３は、前記後端の小穴（紐状部材連結部１５）にて、第一の紐部１６の紐状部材１８と連結されている。
【００１３】
ここで、紐状部材１８の長さ（紐状部材１８をぴんと張った状態での小穴（紐状部材連結部１５）からリング部材１９までの長さ）をＡとすると、このＡの適正値は入力ペン１１を用いて入力操作する際に紐状部材１８が邪魔にならない程度の値である。具体的には、様々な年齢層（子供から大人まで）や性別を網羅した多くの被験者を対象にして実験的に求めうる値であるが、たとえば、Ａ＝１５５ｍｍ程度としてもよい。
【００１４】
第二の紐部１７は、強度と柔軟性を有する素材（たとえば、繊維等の編み込み体）で作られた幅広で帯状のベルトの両端を接合体２１で結合して環状（ループ状）に形成された環状のベルト２０であり、この環状のベルト２０は、後述の図２に示すように、当該環状のベルト２０の一端が携帯電子機器２２の一端の取付部２３に取り付けられた状態で、前記リング部材１９が前記環状のベルト２０に遊挿されている。
【００１５】
ここで、遊挿とは、第二の紐部１７のベルト２０の周長方向（白抜き矢印Ｆの方向）に沿って自由にリング部材１９が動くことができることをいい、具体的には、リング部材１９の輪の内径をφとすると、このφが、ベルト２０の幅よりも十二分に大きい状態のことをいう。また、リング部材１９の最大外形寸法をＢとすると、このＢは当然ながらリング部材１９の輪の内径φよりも大きく、たとえば、Ｂ＝２３ｍｍ程度としてもよい。
【００１６】
なお、第一の紐部１６の紐状部材１８は“二重”に限定されない。二重以上の多重であってもよいし、または、１本の紐（図１（ｂ）参照）であってもよい。あるいは図示を略すが、複数本の紐を撚り合せた組紐のようなものであってもよく、要するに、切れにくく、且つ、柔軟性に優れたものであればよい。
【００１７】
このような構成を有する紐付入力ペン１０は、任意の携帯電子機器２２（特に限定しないが携帯ゲーム機、携帯通信端末、多機能型携帯電話機、携帯電子辞書など）と一緒に用いられるが、この際、紐付入力ペン１０の第二の紐部１７のベルト２０を、携帯電子機器２２の一端に形成された取付部２３（小穴）に取り付けて（結びつけて）使用する。
【００１８】
ここで、携帯電子機器２２のボディに結びつけられた状態のベルト２０の長さをＣとすると、このＣの適正値は、後述の図２に示すように、ユーザの手をベルト２０の輪の中に通すことができる程度の適正な値であり、これも様々な年齢層や性別を網羅した多くの被験者を対象にして実験的に求めうる値であるが、たとえば、Ｃ＝１３０ｍｍ程度としてもよい。
【００１９】
このような値（Ｃ＝１３０ｍｍ）にすると、年齢や性別を問わず、多くのユーザの手をスムーズにベルト２０に通すことができることに加え、さらに、幼児の小さな頭がベルト２０の中に入らないサイズとなっているため、幼児の小さな頭がベルト２０の中に入って幼児の首にベルト２０が巻き付くといった事故を回避できる。
【００２０】
また、第二の紐部１７のベルト２０を携帯電子機器２２のボディから取り外して平に畳んだ状態における端から端までの長さをＤとすると（図１（ｃ）参照）、このＤの値は、たとえば、Ｄ＝１７５ｍｍ程度としてもよい。
【００２１】
図２は、紐付入力ペン１０の使用状態図である。この図に示すように、前記環状のベルト２０に前記リング部材１９が遊挿された状態で、前記環状のベルト２０が当該携帯電子機器２２の一端（の取付部２３（小穴））に取り付け（結びつけ）られている。携帯電子機器２２に結びつけられた紐付入力ペン１０をユーザが使用する際、ユーザは自分の手首２４をベルト２０の輪の中（内側）に挿入し、指先で入力ペンの本体部１３を握り、その入力ペンの本体部１３で携帯電子機器２２の入力面２５（タッチパネル等）を操作することになるが、実施形態の紐付入力ペン１０は、以下の効果を得ることができる。
【００２２】
（１）携帯電子機器２２の取付部２３（小穴）に結びつけられたベルト２０の輪にユーザの手首２４を通しているので、携帯電子機器２２を落下させることがない。
（２）第二の紐部１７のベルト２０の一端が携帯電子機器２２に取り付けられた状態で、ベルト２０が第一の紐部１６のリング部材１９の輪の中（内側）に“遊挿状態”で通されているので、環状のベルト２０の内側にユーザの手が挿入されて携帯電子機器２２に対して入力ペン１１を操作する際に、第一の紐部１６の紐状部材１８がペンの操作を妨げない。これは、リング部材１９がベルト２０の周長方向（白抜き矢印Ｆの方向）に沿って自由に動くことができるからであり、紐状部材１８の指先等への絡みつきを防止できるからである。
【００２３】
したがって、実施形態の紐付入力ペン１０によれば、紐構成体１２によって携帯電子機器２２に取り付けられているため、入力ペン１１の紛失防止を図ることができることに加え、上記の（２）より、紐状部材１８の絡みつきを回避して入力操作の改善を図ることができるので、少なくとも「入力ペンの紛失防止を図りつつ、入力操作の改善を図った紐付入力ペン及び携帯電子機器を提供する」という本件発明の課題を達成することができる。
【００２４】
なお、実施形態では、第二の紐部１７に“幅広で帯状”のベルト２０を使用しているが、これは、手首への負担を少なくするためであり、要するに実用上の便宜である。したがって、発明の思想上は“幅広で帯状”に限定されず、たとえば、ベルト２０は紐のようなものであってもかまわない。
【００２５】
図３は、携帯電子機器２２の背面図である。図３（ａ）に示すように、携帯電子機器２２の背面は、ほぼ長方形の形状であり、長方形の１つの角の近傍に取付部２３（小穴）が形成されている。そして、取付部２３の近傍から、長方形の一辺とほぼ並行には凹状の長溝２６が形成され、長溝２６に入力ペンの本体部１３を収容して保持できるようになっている。また、携帯電子機器２２の背面に電池蓋２７及び蓋開閉ノブ２８などが備えられている。
【００２６】
収容状態の入力ペンの本体部１３を着脱自在に保持するために、入力ペンの本体部１３の内部に一つないしは複数個（図では５個であるが個数は限定しない）の永久磁石２９を設け、さらに、長溝２６の裏側にも同個数の永久磁石３０を設ける（図３（ｂ）参照）。永久磁石２９、３０を異極対向させることにより、入力ペンの本体部１３の収容と保持をワンタッチで同時に行うことができる。あるいは、長溝２６の内部に少なくとも一対の対向爪３１を立設形成し（図３（ｃ）参照）、この対向爪３１の挟み力によって入力ペンの本体部１３を挟装保持するようにしてもよい。
【００２７】
図４は、紐状部材１８の弛みを示す図である。この図に示すように、保持手段である永久磁石２９、３０が、前記入力ペン１１の一端（ペン先部１４）と前記取付部２３との間に、前記入力ペン１１の他端及び前記紐状部材１８を連結する紐状部材連結部１５が位置するように前記入力ペン１１を保持した状態と比べて前記紐状部材１８が撓まないように、前記保持手段が、前記紐状部材連結部１５と、前記取付部２３との間に前記入力ペン１１の一端が位置する状態で前記入力ペン１１を保持できるように、前記リング部材１９が前記環状のベルト２０における前記取付部２３側に遊挿されている。つまり保持手段である永久磁石２９、３０により入力ペン１１の本体部１３が、ペン先部１４を取付部２３と近い位置に保持された状態において、逆方向の保持と比較して、紐状部材１８の弛みが少なくなるように紐状部材１８が形成されている。弛みが多いと、携帯電子機器２２を持ち運ぶ際に引っかかってしまい、入力ペンの本体部１３が不用意に長溝２６から外れてしまうからである。
【００２８】
収容状態における紐状部材１８の弛みの大小は、紐状部材１８の長さＡと、携帯電子機器２２の取付部２３（小穴）から収容状態の入力ペンの本体部１３の後端部１３ａまでの距離Ｅとの関係によって決まる。Ｅに対してＡが長すぎると弛みが大きくなるので、Ａを考慮してＥを適正に設定すればよく、あるいは、Ｅを考慮してＡを適正に設定すればよい。ちなみに、Ｅ＝Ａにすれば、弛みはゼロになる。
【００２９】
以上、本発明のいくつかの実施形態を説明したが、この発明は、これらに限定されるものではなく、特許請求の範囲に記載された発明とその均等の範囲を含むものである。
以下に、本件出願の特許請求の範囲に記載された発明を付記する。
【００３０】
（付記）
［１］付記１は、携帯電子機器２２用の入力ペン１１と紐構成体１２とを備え、
前記紐構成体１２は第一の紐部１６と第二の紐部１７を有し、
前記第一の紐部１６は一端が前記入力ペン１１と連結された紐状部材１８とその紐状部材１８の他の一端に取り付けられたリング部材１９とを有し、
前記第二の紐部１７は環状のベルト２０を含み、当該環状のベルト２０に前記リング部材１９が遊挿されている、
ことを特徴とする紐付入力ペン１０である。
［２］付記２は、前記環状のベルト２０は幅広で帯状の素材で作られていることを特徴とする付記１に記載の紐付入力ペン１０である。
［３］付記３は、前記紐状部材１８は二重紐または二重以上の多重紐もしくは１本の紐であることを特徴とする付記１に記載の紐付入力ペン１０である。
［４］付記４は、請求項１乃至３いずれかに記載の前記紐付入力ペン１０が取り付けられている携帯電子機器２２であって、前記環状のベルト２０に前記リング部材１９が遊挿された状態で、前記環状のベルト２０が当該携帯電子機器２２に設けられた取付部２３に取り付けられていることを特徴とする携帯電子機器２２である。
［５］付記５は、前記環状のベルト２０が前記携帯電子機器２２に取り付けられている状態で、前記環状のベルト２０の内側にユーザの手が挿入されて前記入力ペン１１がユーザの手で操作される際に、前記入力ペン１１と連結された紐状部材１８と当該紐状部材１８に取り付けられた前記リング部材１９とが前記入力ペン１１の操作を妨げない位置に移動可能となるように、前記環状のベルト２０に前記リング部材１９が遊挿されていることを特徴とする付記４に記載の携帯電子機器２２である。
［６］付記６は、前記携帯電子機器２２は、前記紐付入力ペン１０を着脱自在に保持する保持手段（永久磁石２９、３０または対向爪３１）を備えたことを特徴とする付記４又は５に記載の携帯電子機器２２である。
［７］付記７は、前記保持手段（永久磁石２９、３０または対向爪３１）が、前記入力ペン１１の一端と前記取付部２３との間に、前記入力ペン１１の他端及び前記紐状部材１８を連結する紐状部材連結部１５が位置するように前記入力ペン１１を保持した状態と比べて前記紐状部材１８が撓まないように、前記保持手段（永久磁石２９、３０または対向爪３１）が、前記紐状部材連結部１５と、前記取付部２３との間に前記入力ペン１１の一端が位置する状態で前記入力ペン１１を保持できるように、前記リング部材１９が前記環状のベルト２０における前記取付部２３側に遊挿されることを特徴とする付記６に記載の携帯電子機器２２である。
［８］付記８は、前記保持手段は磁石（永久磁石２９、３０）の磁力によって前記紐付入力ペン１０を保持することを特徴とする付記５に記載の携帯電子機器２２である。
［９］付記９は、前記保持手段は少なくとも一対の対向爪３１の挟み力によって前記紐付入力ペン１０を保持することを特徴とする付記６に記載の携帯電子機器２２である。
【符号の説明】
【００３１】
１０  紐付入力ペン
１１  入力ペン
１２  紐構成体
１３  本体部
１４  ペン先部
１５  紐状部材連結部
１６  第一の紐部
１７  第二の紐部
１８  紐状部材
１９  リング部材
２０  ベルト
２１  接合体
２２  携帯電子機器
２３  取付部
２４  手首
２５  入力面
２６  長溝
２７  電池蓋
２８  蓋開閉ノブ
２９  永久磁石
３０  永久磁石
３１  対向爪
【図１】
2016057725.tif 000003
【図２】
2016057725.tif 000004
【図３】
2016057725.tif 000005
【図４】
2016057725.tif 000006
【図５】
2016057725.tif 000007